(57)【要約】【目的】操作レバーの回動運動による押圧力を減殺せずに、加圧ヘッドに直接伝達し該ヘッドの動作を垂直運動に変え、空容器を垂直上方より圧潰する空容器潰し機を提供する。【構成】ベース１の後辺から支柱２を立設し、該ベース１の上方に加圧ヘッド３を配設し、上記支柱２の上部に操作レバー４の基端を枢支して、該ベース１前方へ向け延設し、該レバー４と上記ヘッド３間を中間リンク６・７にて枢結し、該レバー４の下方回動により上記中間リンク６・７を介して該ヘッド３を下降し、上記ベース上１に載置した空容器２７を該ヘッド３にて圧潰する空容器潰し機において、上記ヘッド３の後辺に上記支柱２に沿い該ヘッド３と一体に上下動し且つ該ヘッド３の前後方向の傾動を許容するガイド８を設け、該ヘッド３が上記空容器２７の圧潰変形に追随して下降しつつ前後に傾動し上記圧潰を遂行せしめる空容器潰し機。【選択図】図４
2004351517.tif 000002
【特許請求の範囲】
【請求項１】
据付けベースの後辺から支柱を立設し、該ベースの上方に加圧ヘッドを配設し、上記支柱に該ベースの上方において上下回動する操作レバーの基端を枢支して該ベース前方へ向け延設し、該操作レバーと上記加圧ヘッド間を中間リンクにて枢結し、該操作レバーの下方回動により上記中間リンクを介して上記加圧ヘッドを下降し、上記ベース上に載置した空容器を上記加圧ヘッドにて圧潰する構成とした空容器潰し機において、上記加圧ヘッドの後辺に上記支柱に沿う該加圧ヘッドの上下動を案内し且つ該加圧ヘッドの前後方向の傾動を許容するガイドを設け、該加圧ヘッドが上記空容器の圧潰変形に追随して下降しつつ前後に傾動し上記空容器の圧潰を遂行せしめる構成としたことを特徴とする空容器潰し機。
【発明の詳細な説明】
【０００１】
【発明の属する技術分野】本発明は、使用済みの１８Ｌ缶、ジュース缶、ペットボトル等を潰す空容器潰し機に関するものである。
【０００２】
【従来の技術】
【特許文献１】特開平１１−０４７９９０
【特許文献２】特開２００１−３２１９９４
【０００３】
特許文献１はベース上面に加圧ヘッドを配し、該加圧ヘッドを該ベース上一端に枢支した支点を中心に扇形回動することにより、上記ベースと該ヘッドの間に挟んだ空容器を圧潰するものであるが、構造上圧潰された該空容器は略扇形状になる。
【０００４】
又、特許文献２はベース上に加圧ヘッドを配すると共に、該加圧ヘッド上で片持支点を中心に扇形回動する操作レバーを設け、該操作レバーの下降回動操作により、該ヘッドとベース間で空容器を押し潰すようにし、更に、操作レバーの扇形回動運動を上記ヘッドに伝達する手段として該ヘッドをシリンダー構造のガイドロッドに吊設すると共に、該ガイドロッドとヘッド間をリンクにて枢結し、操作レバーの下降扇形回動を上記シリンダーロッドを介し垂直運動に変換する機構を採っている。
【０００５】
【発明が解決しようとする課題】
而して、特許文献１は、ヘッドを定円軌跡を以って扇形回動せる構造であるため、必然的に空容器は略扇形変形される欠点があり、上記の略扇形状の空容器を略扁平状に圧潰するためには、一度扇形に押し潰した空容器を、支点側へ移動して再度押し潰し操作せねばならない。
【０００６】
他方、特許文献２は、操作レバーの扇形回動による押圧力は下方向と前後方向に分力され、下方向の押圧力は空容器に伝達するが、前後方向の押圧力は減殺され、操作レバーの押圧力の伝達効率は悪化する。
【０００７】
よって、操作レバーの押圧力は、ヘッドが空容器から受ける垂直方向の抗力に対し、減殺されてしまう。
【０００８】
又、ヘッドは垂直下降に強制され前後への空容器の潰し変形の進行に追随した斜めの調動が不能である。
【０００９】
【課題を解決するための手段】
本発明は、上記の問題点を解決する空容器潰し機を提供する。据付けベースの後辺から支柱を立設し、該ベースの上方に加圧ヘッドを配設し、上記支柱に該ベースの上方において上下回動する操作レバーの基端を枢支して該ベース前方へ向け延設し、該操作レバーと上記加圧ヘッド間を中間リンクにて枢結し、該操作レバーの下方回動により上記中間リンクを介して上記加圧ヘッドを下降し、上記ベース上に載置した空容器を上記加圧ヘッドにて圧潰する構成とした空容器潰し機において、上記加圧ヘッドの後辺に上記支柱に沿う該加圧ヘッドの上下動を案内し且つ該ヘッドの前後方向の傾動を許容するガイドを設け、該ヘッドが上記空容器の圧潰変形に追随して下降しつつ前後に傾動し上記空容器の圧潰を遂行せしめる構成としたものである。
【００１０】
【発明の実施の形態】
以下本発明の空容器潰し機の実施の形態を説明する。図１に示すように、据付けベース１の後辺から支柱２を立設し、該ベース１の上方に加圧ヘッド３を配設しており、上記支柱２に該ベース１の上方において上下回動する操作レバー４の基端を支軸５を以って枢支してベース１前方へ向け延設し、該操作レバー４と該ヘッド３間を中間リンク６・７にて枢結し、該操作レバー４の支軸５を支点とする下方扇形回動によりヘッド３を下降せしめ、上記ベース１上に載置した空容器２７を該ヘッド３にて圧潰する構成を有する。
【００１１】
そして、上記加圧ヘッド３の後辺に支柱２に沿い該ヘッド３と一体に上下動し且つ該ヘッド３の前後方向の傾きを許容するガイド８を設けたものである。支柱２は例えば円柱で形成する。
【００１２】
上記操作レバー４の扇形回動運動を加圧ヘッド３に伝達する中間リンクは、前後に間隔を置いて並設した二本のリンク６・７で形成し、各リンク６・７の上端を操作レバー４の中間延在部の前後に間隔を置いて支軸９・１０を以って各々枢結すると共に、各リンク６・７の下端を上記加圧ヘッド３の前後に間隔を置いて支軸１１・１２を以って各々に枢結する。
【００１３】
よって、操作レバー４と加圧ヘッド３間を二本の並行リンク６・７にて連結する。又、上記操作レバー４の支軸５とは反対側の端部に手操用の把手１３を設ける。
【００１４】
又、上記ベース１の前端の左右から、前方向に延びる安定アーム１４・１５を上記操作レバー４と平行に並設し、該安定アーム１４・１５の中間線上に上記操作レバー４が延び、同中間線上において上下扇形回動するように構成する。
【００１５】
又、上記ガイド８は、図２に示すように支柱２の前後左右を枠片１６・１７・１８・１９で囲み、即ち支柱２に枠体を外挿し、該支柱２の前後に対向配置された各枠片１６・１７の内側に、球形の滑子２０・２１を該支柱２の前後中心線上に対向して配設し、且つ各滑子２０・２１の頂面と該支柱の前後側面との間に遊間隔２２・２３を設け、又上記支柱２の左右に対向配置された各枠片１８・１９の内側には円柱形の滑子２４・２５を該支柱２の左右中心線と交叉するように対向せしめ横設して、且つ各々の該滑子２４・２５の面の母線上の一点で該支柱２の側面と接触する。
【００１６】
又、上記加圧ヘッド３の後辺に上記ガイド８を一体に形成し、胴ヘッド３の前辺の角部には切欠開口部２６を設け、又上面の前後に間隔を置いて支軸１１・１２を並設する。
【００１７】
又、図２、３に示すように据付けベース１上に空容器２７の上面の給液口２８を上にして載置し且つ、圧潰過程において該空容器２７内の空気を排出するために、該給液口２８をヘッド３の開口部２６下に配する。
【００１８】
操作レバー４の扇形回動運動は、中間リンク６・７を介しヘッド３の垂直運動に変換する。その際上記ヘッド３と一体になっているガイド８は、該ガイド８の枠片に配設した球形の滑子２０又は滑子２１が支柱２の前後側面に当接し、且つ滑子２４・２５が支柱２の左右側面に当接して、ヘッド３が支柱２から遊離するのを防止する。
【００１９】
加圧ヘッド３は待機状態では図３に示すように、前上がりに傾斜し、後方滑子２１が支柱２の後側面に当接し、前方移動を阻止している。
【００２０】
次に、操作レバー４を下方回動すると加圧ヘッド３は図４に仮想線で示すように空容器２７の上面に中間リンク６・７の回動を伴いながら略水平に当接する。
【００２１】
更に操作レバー４の下方回動を進めると図４に実線で示すように、加圧ヘッド３は水平又は水平に近い状態で下降し、空容器２７に垂直な加圧力を与えて、これを扁平に圧縮変形せしめる。
【００２２】
加圧ヘッド３は傾斜状態から水平状態に変位し空容器２７を圧縮変形するに伴って滑子２１が支柱２の後側面から離れ、前方滑子２０が支柱２の前側面に当接する。
【００２３】
又、加圧ヘッド３は空容器２７の変形状態に追随して前後に傾動が許容され（遊間隔２２・２３が中間リンク６・７と協動してこの傾動を許容する）、空容器２７に常に密接を保ちつつ、上記圧縮変形を進める。
【００２４】
この傾動に伴い上記滑子２０・２１の何れかが支柱２に当接する。
【００２５】
上記ガイド８は上記ヘッド３の傾斜状態から水平状態への変位、並びに上記圧縮変形に追随する水平下降を適切に案内し、上記潰し動作を健全に遂行せしめる。
【００２６】
この際、滑子２０・２１と支柱２との遊間隔２２・２３はヘッド３の前後動を許容し、上記前後方向の傾きを許容し、円滑に上下動せしめる。
【００２７】
又、図２に示す加圧ヘッド３の前後に間隔をおいて並設した支軸１１・１２を結ぶ直線に直交する直線状のみの抗力を空容器２７から受けた場合、中間リンク６・７の後方傾斜による指向性によりヘッド３は後方へ移動するが、その場合ガイド８内の前部の滑子２０が支柱２の前側面に当接しヘッド３の後方への動きを阻止し、円滑にヘッド３を下降せしめる。
【００２８】
又、加圧ヘッド３が水平下降して、支軸１１・１２を結ぶ直線に平行する直線状の抗力を空容器２７から受けた場合、ヘッド３の中間リンク６・７の後方傾斜による指向性により、ヘッド３は後方へ移動しようとする力と、空容器２７から受ける抗力による摩擦抗力により、ヘッド３の後方への動きは抑止され、そのため、操作レバー４からの押圧力は後方へ分力されない。従って押圧力は減殺されずに空容器２７に効率よく伝達される。
【００２９】
又、加圧ヘッド３と空容器２７の摩擦抗力の強弱、又は空容器２７の後方への変形により、上記加圧ヘッド３が後方へ動いても、その移動距離がガイド８内の前部の遊間隔２２の許容範囲内に収まれば、操作レバー４からの押圧力は後方へ分力されない。従って、操作レバー４からの押圧力は減殺されずに空容器に効率よく伝達される。
【００３０】
なお、加圧ヘッド３と空容器２７が面接触であれば、該加圧ヘッド３の後方への動きはより良く抑制されるので、上記加圧ヘッド３の後方への移動距離がガイド８内の前部の遊間隔２２の許容範囲に収まりやすくなり、押圧力は後方へ分力されずに空容器２７に効率よく伝達される。
【００３１】
又、図４に示す、空容器２７が圧潰される過程で該空容器２７が前後に傾斜変形する場合には、図２に示すガイド８の前後の枠片１６・１７に配設した球形の滑子２０・２１と支柱２の側面の遊間隔２２・２３が許容する範囲でガイド８は前方又は後方に傾く。而して、該ガイド８と一体になっている加圧ヘッド３は上記空容器２７の前後の傾斜変形に追随して傾動し、該空容器２７との密接を保ち摩擦抗力を生じようとするものである。
【００３２】
よって、上記の如く加圧ヘッド３の加圧面と空容器２７の受圧面との密接を保ち摩擦力を生じることにより、加圧ヘッド３と空容器２７の後方向への動きを抑制することで、中間リンク６・７を介した操作レバー４からの押圧力は後方へ分力されずに空容器２７に効率よく伝達され、該空容器２７を圧潰せしめる。
【００３３】
【発明の効果】
本発明の空容器潰し機によれば、ガイドが加圧ヘッドの前後方向の動きと傾きを許容し支柱に沿い下降することにより、レバーの回動による押圧力を減殺せずに、ヘッドに直接伝達し該ヘッドの動作を垂直動に変換し、空容器を垂直上方より圧潰する。
【００３４】
操作レバーの扇形回動運動から中間リンクを介して垂直運動に変換した加圧ヘッドは、空容器を垂直真上から圧潰するので該空容器は扁平になる。従って従来のように扇形状に半潰した空容器を略扁平にするために半潰した該空容器を移動する必要はない。
【００３５】
又、空容器を圧潰する過程で、該空容器が前後に傾斜変形する場合には、ガイドと支柱側面の間隔が許容する範囲でガイドは前後に傾く。而して、該ガイドと一体になっている加圧ヘッドは該空容器の前後の傾斜変形に追随して傾動し、該空容器との密接を保ち摩擦力を維持する。
【００３６】
よって、加圧ヘッドと空容器の後方への動きを抑制するので、扇形回動による操作レバーからの押圧力は、上記加圧ヘッドが垂直下降する際、押圧力の後方への分力は軽微であり、大方の押し圧力は上記空容器に伝達し該空容器を圧潰せしめる。
【００３７】
又、上記に述べた、加圧ヘッドの後方への移動距離が、ガイド内で収まった場合、押圧力は後方へ分力されないので、操作レバーの押圧力は減殺されることなく空容器に効率良く伝達し、空容器を圧潰する。
【００３８】
而して、本発明の空容器潰し機は、操作レバーの下降扇形回動による押圧力を、加圧ヘッドに伝達する時点において垂直に伝達し、伝達効率は良く空容器を圧潰するものである。
【図面の簡単な説明】
【図１】空容器潰し機の斜視図である。
【図２】上記空容器潰し機をガイド上において断面せる平面図である。
【図３】上記空容器潰し機の据付けベース上に空容器を載置した潰し前の待機状態を示す側面図である。
【図４】上記空容器潰し機の側面図であり、仮想線で示した図は、空容器に加圧ヘッドを当接した状態を示し、実線で示す図は、圧潰過程の途中の状態を示す側面図である。
【図５】本発明の空容器潰し機により空容器を完潰した状態を示した側面図である。
【符号の説明】
１−ベース              ２−支柱              ３−ヘッド
４−操作レバー          ５−操作レバーの支軸  ６−前方の中間リンク
７−後方の中間リンク    ８−ガイド
９−操作レバーの中間延在部の前方の支軸
１０−操作レバーの中間延在部の後方の支軸
１１−ヘッドの前方の支軸          １２−ヘッドの後方の支軸
１３−操作レバーの把手            １４−右側の安定アーム
１５−左側の安定アーム            １６−ガイドの前方の枠片
１７−ガイドの後方の枠片          １８−ガイドの右側の枠片
１９−ガイドの左側の枠片          ２０−ガイドの前方の球形の滑子
２１−ガイドの後方の球形の滑子
２２−ガイドの前方の滑子と支柱側面の遊間隔
２３−ガイドの後方の滑子と支柱側面の遊間隔
２４−ガイドの右側の筒形の滑子    ２５−ガイドの左側の筒形の滑子
２６−ヘッドの切欠開口部          ２７−空容器
２８−空容器の給液口
【図１】
2004351517.tif 000003
【図２】
2004351517.tif 000004
【図３】
2004351517.tif 000005
【図４】
2004351517.tif 000006
【図５】
2004351517.tif 000007